(57)【特許請求の範囲】
【請求項１】
電力線に固定する電力線固定部と、
前記電力線固定部から延設され、ワイヤを固定するワイヤ固定部と、
を備える鳥害防止具において、
前記電力線固定部は、
第１把持部と、前記第１把持部との間に電力線を挟む第２把持部とを備え、
前記第１把持部又は前記第２把持部のうち少なくとも一方の電力線との当接面には、
電力線の外部表面上に設けられた突起であって、電力線の軸方向に沿って設けられた軸方向突起を嵌め合わせる又は遊びをつけて嵌め合わせることが可能な溝部が、電力線の軸周方向に沿った状態に並べて設けられており、
前記溝部は、電力線の軸周方向に沿って並べられ、電力線の軸方向に沿って長尺な形状に形成された複数の長尺状突起によって、それぞれの前記長尺状突起の間に形成されており、
前記複数の長尺状突起は、前記第１把持部又は前記第２把持部のうち少なくとも一方と一体に形成されており、
また前記複数の長尺状突起は、前記第１把持部と前記第２把持部とが並ぶ方向に対して、電力線の中心が位置する方向に向かって傾斜した角度で突出していることを特徴とする鳥害防止具。
【請求項２】
電力線に固定する電力線固定部と、
前記電力線固定部から延設され、ワイヤを固定するワイヤ固定部と、
を備える鳥害防止具において、
前記電力線固定部は、
第１把持部と、前記第１把持部との間に電力線を挟む第２把持部とを備え、
前記第１把持部又は前記第２把持部のうち少なくとも一方の電力線との当接面には、
電力線の外部表面上に設けられた突起であって、電力線の軸方向に沿って設けられた軸方向突起を嵌め合わせる又は遊びをつけて嵌め合わせることが可能な溝部が、電力線の軸周方向に沿った状態に並べて設けられており、
前記溝部は、
電力線の軸方向に沿った中央部分が狭く、両端側に向かって拡幅された形状に形成されていることを特徴とする鳥害防止具。
【請求項３】
電力線に固定する電力線固定部と、
前記電力線固定部から延設され、ワイヤを固定するワイヤ固定部と、
を備える鳥害防止具において、
前記電力線固定部は、
第１把持部と、前記第１把持部との間に電力線を挟む第２把持部とを備え、
前記第１把持部又は前記第２把持部のうち少なくとも一方の電力線との当接面には、
電力線の外部表面上に設けられた突起であって、電力線の軸方向に沿って設けられた軸方向突起を嵌め合わせる又は遊びをつけて嵌め合わせることが可能な溝部が、電力線の軸周方向に沿った状態に並べて設けられており、
前記第１把持部又は前記第２把持部のうち少なくとも一方の電力線との当接面には、
複数の小突起を複数列に並べて形成し、
それぞれの前記小突起は、
各列の間に前記溝部が形成されるように並べられたことを特徴とする鳥害防止具。
【発明の詳細な説明】
【技術分野】
【０００１】
本発明は、鳥害防止具に関する。
【背景技術】
【０００２】
電力線には、鳥害を防止するため、鳥害防止用のワイヤ（テグス）が張られることがある。この場合、ワイヤ架線用の鳥害防止具が電力線に取り付けられる（例えば、特許文献１）。この取り付けの際、電力線は、鳥害防止具が備える把持具に挟まれる。
【先行技術文献】
【特許文献】
【０００３】
【特許文献１】特願２０１５−１５７１８８号
【発明の概要】
【発明が解決しようとする課題】
【０００４】
ところで、図４（ａ）に示すように、鳥害防止具１００は、雪害対策等のため、電力線３００の外部表面上に、電力線３００の軸方向に沿った長尺な形状に形成された突起である軸方向突起３１０が設けられることがある。
【０００５】
この場合、軸方向突起３１０が電力線３００と、鳥害防止具１００の把持具１１０との間に挟まれると、その挟まれた位置から軸方向突起３１０が脱しようとして、図４（ｂ）  に示すように、鳥害防止具１００が傾いてしまう可能性があった。
【０００６】
本発明は、電力線の外部表面上に軸方向突起を有する電力線に取り付けても傾きにくい鳥害防止具を提供することを目的とする。
【課題を解決するための手段】
【０００７】
本発明の鳥害防止具は、電力線に固定する電力線固定部と、電力線固定部から延設され、ワイヤを固定するワイヤ固定部と、を備える。
電力線固定部は、第１把持部と、第１把持部との間に電力線を挟む第２把持部とを備えている。
【０００８】
第１把持部又は第２把持部のうち少なくとも一方の電力線との当接面には、電力線の外部表面上に設けられた突起であって電力線の軸方向に沿って設けられた軸方向突起を嵌め合わせる又は遊びをつけて嵌め合わせることが可能な溝部が、電力線の軸周方向に沿った状態に並べて設けられている。
【０００９】
このようにすると、鳥害防止具を、軸方向突起を有する電力線に取り付けたとき、電力線の軸方向突起が鳥害防止具のいずれかの溝部に嵌ることとなる。そうすると、軸方向突起には、電力線を第１把持部と第２把持部とで挟んだときの力が加わらないので、軸方向突起には、挟まれた位置から脱しようとする力が働かない。
【００１０】
したがって、本発明の鳥害防止具は、電力線の外部表面上に軸方向突起を有する電力線に取り付けても傾きにくい。
次に、本発明の鳥害防止具の溝部は、電力線の軸方向に沿った中央部分が狭く、両端側に向かって拡幅された形状に形成されていてもよい。電力線は、軸周りにひねられている場合がある。しかし、このような場合でも、溝部の形状を上記のような形状に形成すれば、軸方向突起が溝部に嵌る。したがって、本発明の鳥害防止具は、軸周りにひねられた電力線に取り付けても傾きにくい。
【００１１】
次に、本発明の鳥害防止具では、第１把持部又は第２把持部のうち少なくとも一方の電力線との当接面に、電力線の軸方向に沿った長尺な形状に形成された複数の長尺状突起を、電力線の軸周方向に沿って並べてもよい。この場合、溝部は、複数の長尺状突起によって、それぞれの長尺状突起の間に形成される。溝部は、第１把持部又は第２把持部の電力線との当接部分を削って設けてもよいが、このように、長尺状突起を設けて溝部を設けてもよい。
【００１２】
次に、本発明の鳥害防止具では、第１把持部又は第２把持部のうち少なくとも一方の電力線との当接面には、複数の小突起を複数列に並べて形成し、それぞれの小突起は、各列の間に溝部が形成されるように並べてもよい。溝部の形状は、必ずしも連続した形状ではなくてもよく、このように、複数の小突起により形成してもよい。
【図面の簡単な説明】
【００１３】
【図１】実施形態の鳥害防止具の正面図である。
【図２】図２（ａ）は、鳥害防止具を構成する電力線固定部の本体部を図１のＩＩＡ−ＩＩＡ断面で切断した断面図である。図２（ｂ）及び図２（ｃ）は、電力線に鳥害防止具を固定する様子を、電力線固定部の一部を抜き出した部分図と電力線の断面図とで示した説明図である。
【図３】鳥害防止具の他の例の説明図であり、電力線固定部の本体部を図１のＩＩＡ−ＩＩＡ断面図と同じ位置で切断した断面図である。
【図４】図４は、従来の鳥害防止具を構成する電力線固定部が電力線を固定する様子を、電力線固定部の一部を抜き出した部分図と電力線の断面図とで示した説明図であり、（ａ）は傾斜前、（ｂ）は傾斜後の図である。
【発明を実施するための形態】
【００１４】
以下に本発明の例示的な実施形態について図面を参照しながら説明する。
図１に示すように、本実施形態の鳥害防止具１は、電力線固定部２と締結具３とワイヤ固定部４とを備えている。
【００１５】
なお、以下の説明では、ワイヤ固定部４についてはどのような形態でもよいので、説明は省略する。
電力線固定部２は、鳥害防止具１を電力線３００に固定する部位である。電力線固定部２は、コの字状に形成された本体部２０と、この本体部２０が形成するコの字の開口部分を閉じる蓋部２１とを備えている。電力線固定部２は、蓋部２１を閉じると、本体部２０及び蓋部２１で形成する四角形状の枠で囲まれた電線固定空間２２を形成する。また、本体部２０の下側端部には、突起２９が設けられている。
蓋部２１は、本体部２０の上側端部（コの字の上側端部）に揺動可能に取り付けられ、遊端側には本体部２０の下側端部（コの字の下側端部）に係合させるための係合部２３が形成されている。この係合部２３は、電線固定空間２２の軸方向αの両端側に位置する両辺の一部を切り欠いたもので、蓋部２１は、蓋部２１を本体部２０に対して閉じたときに係合部２３を突起２９に係合させることで本体部２０に固定される。
【００１６】
本体部２０のうち、コの字の上辺部分を第１把持部２４と呼ぶ。第１把持部２４は、電線固定空間２２を形成する側の面に、上方に向かって凹んだ三角形状の第１窪部２４０が設けられている。この第１窪部２４０は、軸方向αに沿った断面で見た形状が上方に向かって凹んだ三角形状に形成されている。そして、第１窪部２４０には、図２（ａ）に示すように、下方から見たときに、第１窪部２４０が形成する三角形の頂点が軸方向αに沿って連続する連続線βを挟んで左右対称に配置され、かつ、連続線βに垂直な方向に沿って等間隔に並べられた複数の長尺状突起２５が形成されている。これら長尺状突起２５は、下方から見ると、軸方向αに沿って細長い形状であって、軸方向αに沿って長い対角線を有する菱形形状に形成されている。
【００１７】
このように長尺状突起２５を設けると、これら長尺状突起２５の間には、図２（ｂ）（ｃ）に示すように、電力線３００の外部表面上に設けられた軸方向突起３１０であって、電力線３００の軸方向に沿って設けられた軸方向突起３１０を、遊びをつけて嵌め合わせることが可能な溝部２６が形成される。また、これら長尺状突起２５は、上述したように並設すると、連続線βの両側で、電力線３００の接線方向に沿って並べて設けられることとなる。
【００１８】
締結具３は、図１に示すように、電力線固定部２の本体部２０のうち、コの字の下辺部分の上方側に第２把持部３０、下方側にハンドル部３９を備えている。本体部２０のうち、コの字の下辺部分を、以下、基礎部２７とよぶ。
【００１９】
第２把持部３０は、本体部２０に対し、電線固定空間２２内を上下方向に移動可能に取り付けられている。この第２把持部３０の上方側の面には、下方に向かって凹んだ三角形上の第２窪部３００が設けられている。この第２窪部３００は、第１窪部２４０に対向する位置に設けられている。
【００２０】
ハンドル部３９は、基礎部２７に対し回転可能に取り付けられている。第２把持部３０は、このハンドル部３９を回転させると、電線固定空間２２内で上下に移動する。そして、所定位置で回転を止めると、その位置で固定され、ハンドル部３９を回転させることによって電線固定空間２２で移動した第２把持部３０も、その移動した後の位置で固定される。
【００２１】
本実施形態の鳥害防止具１を電力線３００に固定する場合は、次のように取り付け、テグスを電力線３００上に張る。
（１）作業者は、ハンドル部３９を回転させて、第２把持部３０を下端まで下げる。
【００２２】
（２）作業者は、鳥害防止具１が鉛直になるように、鳥害防止具１を電力線３００に取り付ける。本実施形態では、複数の溝部２６が形成されているので、電力線３００が軸周りにねじれていても、電力線３００の軸方向突起３１０が、いずれかの溝部２６に嵌る。
そうすると、鳥害防止具１は、傾きなく電力線３００に取り付けることができる。
【００２３】
（３）作業者は、蓋部２１を閉める。
（４）作業者は、ハンドル部３９を操作して第２把持部３０を上方に移動させ、電力線３００を第１把持部２４と第２把持部３０との間に挟む。
【００２４】
（５）作業者は、電力線３００に鳥害防止具１を取り付け終えたら、テグスをワイヤ固定部４に固定しながら、電力線３００上に張る。
以上説明した鳥害防止具１の特徴的な作用効果について説明する。
【００２５】
本実施形態の鳥害防止具１は、雪害対策用の電力線３００のように、軸方向突起３１０を有する電力線３００に取り付けたとき、電力線３００の軸方向突起３１０が鳥害防止具１のいずれかの溝部２６に嵌ることとなる。そうすると、電力線３００の軸方向突起３１０には、電力線３００を第１把持部２４と第２把持部３０とで挟んだときの力が加わらないので、電力線３００の軸方向突起３１０には、挟まれた位置から脱しようとする力が働かない。
【００２６】
したがって、本実施形態の鳥害防止具１は、電力線３００の外部表面上に軸方向突起３１０を有する電力線３００に取り付けても傾きにくい。
次に、本実施形態の鳥害防止具１の溝部２６は、細長い菱形形状に形成されているので、電力線３００が軸周りにひねられ、電力線３００の周りに螺旋形状に巻かれたような状態になっても、電力線３００の軸方向突起３１０が溝部２６に嵌る。したがって、本実施形態の鳥害防止具１は、軸周りにひねられた電力線３００に取り付けても傾きにくい。
【００２７】
以上、実施形態について説明したが、特許請求の範囲に記載された発明は、上記実施形態に限定されることなく、種々の形態を採り得ることは言うまでもない。
（１）上記実施形態では、長尺状突起２５が、電力線３００の接線方向に沿って並べて設けられる例について説明したが、これに限らず、電力線３００の軸周方向に沿った状態に並べて設けられていればよい。例えば、長尺状突起２５は、電力線３００の軸周方向に沿って並べて設けられていてもよい。この場合、第１窪部２４０が、電力線３００の円周に沿った形状に形成されていてもよい。
【００２８】
（２）上記実施形態では、長尺状突起２５を複数設けて溝部２６を形成したが、第１把持部２４を削って、長尺状突起２５を設けることなく、溝部２６を第１把持部２４に設けてもよい。
【００２９】
（３）上記実施形態では、菱形の長尺状突起２５を用いて溝部２６を形成したが、これに限るものではない。例えば、図３に示すように、溝部２６は、電力線３００との当接面に、複数の小突起２８を複数列に並べて形成してもよい。
【００３０】
（４）上記実施形態では、溝部２６を菱形形状に形成したが、溝部２６は、電力線３００の軸方向に沿った中央部分が狭く、両端側に向かって拡幅された形状に形成されていればよく、菱形は、その一形態である。
【００３１】
（５）上記実施形態では、溝部２６を第１把持部２４に設けたが、第２把持部３０に設けてもよい。また、溝部２６は、第１把持部２４と第２把持部３０に設けてもよい。
（６）上記実施形態では、溝部２６は、電力線３００の軸方向突起３１０を、遊びをもって嵌め合わせる大きさの溝としたが、電力線３００の軸方向突起３１０が遊びなく嵌る大きさに形成してもよい。
【符号の説明】
【００３２】
１…鳥害防止具、２…電力線固定部、３…締結具、４…ワイヤ固定部、２０…本体部、２１…蓋部、２２…電線固定空間、２３…係合部、２４…第１把持部、
２５…長尺状突起、２６…溝部、２７…基礎部、２８…小突起、２９…突起、
３０…第２把持部、３９…ハンドル部、２４０…第１窪部、３００…第２窪部。
【図１】
0006649849.tif 000002
【図２】
0006649849.tif 000003
【図３】
0006649849.tif 000004
【図４】
0006649849.tif 000005